(57)【特許請求の範囲】
【請求項１】
掌で一握りにできる大きさと形状のケーシング内に、誘電体基板の肉厚の少なくとも一部分を介して互いに対向する線状電極と面状電極で構成した竪長の電界素子と、該電界素子に交流高圧を印加するための交流高圧電源を設け、また、該交流高圧電源の入力側に商用交流電源コンセントの差し込みプラグを接続し、その差し込みプラグの基部を前記ケーシングの該側面に固着すると共に、その先端部を突出させた脱臭装置において、
該ケーシングと該電界素子の線状電極側との間に竪長の空気通路を設け、その空気通路の上下と該ケーシングに穿設した各通気口とを連通し、該電界素子の沿面放電によって発生する前記空気通路内のオゾンガスに、その沿面放電によって発生する熱で上昇流を発生させ、その空気通路内のオゾンガスの上昇流で、脱臭しようとする室内の空気を前記の通気口を介して循環させることを特徴とする脱臭装置
【請求項２】
該電界素子の線状電極を該誘電体基板の表面上に設け、該面状電極をその肉厚内に設け、かつ該面状電極と該誘電体基板の裏面との間の肉厚内に電熱線を設けることを特徴とする請求項１記載の脱臭装置。
【発明の詳細な説明】
【０００１】
【産業上の利用分野】
この発明は一般の家屋における居室、寝室、トイレ、又はオフイス、病室等の室内の空気の悪臭、特に梅雨時の室内、押し入れ内、浴室、衣料用クローゼット内の黴などによる悪臭をオゾンガスで脱臭するための装置に関する。
【０００２】
【従来の技術】
従来のこの種の脱臭装置は１８リットル石油缶の大きさとほぼ等しいケーシングの中にオゾナイザとフアンを設けていて、それを脱臭しようとする室内の床の上又は畳の上に置いて、室内の空気をフアンでオゾナイザに供給してオゾンガス化し、そのオゾンガスを室内に戻して悪臭を除去するものである。
【０００３】
従ってこの装置は上記室内の床上専用のものであり、それ以外の位置に置いたりすることは無理である。例えばそれを靴箱内、および冷蔵庫内の悪臭を除去するために其の中に持ち込んでオゾンガスを発生することは其の大きさの関係上無理である。
【０００４】
【発明が解決しようとする課題】
この発明の目的はは上記床上専用の脱臭装置の問題点を解決して、其の装置を上記居室の床上以外の場所に置いて、其の分床を広くして其の他の用途に使用できるようにすることであり、また床上以外の靴箱内或は冷蔵庫内等に持ち込んで、そこでオゾンガスを簡単に発生できるようにするものである。
【０００５】
【課題を解決するための手段】
この発明の脱臭装置は掌で一握りにできる大きさと形状のケーシング内に、誘電体基板の肉厚の少なくとも一部分を介して互いに対向する線状電極と面状電極で構成した竪長の電界素子と、該電界素子に交流高圧を印加するための交流高圧電源を設け、また、該交流高圧電源の入力側に商用交流電源コンセントの差し込みプラグを接続し、その差し込みプラグの基部を前記ケーシングの該側面に固着すると共に、その先端部を突出させた脱臭装置において、該ケーシングと該電界素子の線状電極側との間に竪長の空気通路を設け、その空気通路の上下と該ケーシングに穿設した各通気口とを連通し、該電界素子の沿面放電によって発生する前記空気通路内のオゾンガスに、その沿面放電によって発生する熱で上昇流を発生させ、その空気通路内のオゾンガスの上昇流で、脱臭しようとする室内の空気を前記の通気口を介して循環させるものである。
【０００６】
また必要に応じて該誘電体基板の肉厚内に該面状電極を設け、且つこれと該誘電体基板の裏面との間に電熱線を設ける。さらに必要に応じて該線状電極の表面をおおう如くに高純度アルミナ薄膜の保護膜を設ける。
【０００７】
【作用】
この発明の脱臭装置を用いて脱臭する際は、その差し込みプラグを脱臭しようとする室内の壁などに予め設置されている商用電源のコンセントに差し込むことによって、前記交流高圧電源の入力側に電力を供給すると同時にそこにこの脱臭装置全体を着脱自在に配置する。
【０００８】
交流高圧電源で発生された交流高電圧を電界素子の線状電極と面状電極の間に印加し、其の電界素子における線状電極側の表面に沿面放電を発生させ、そこに存在する空気中の酸素をオゾンガス化する。
【０００９】
このときの沿面放電によって発生する熱で電界素子の温度が上昇し、其の付近の空気を加熱して僅かな上昇流を発生し、ケーシングの通気口から空気が出入りし、それに伴なって前記オゾンガスが流動し、脱臭しようとする室内を緩やかに循環して脱臭する。
【００１０】
このようにして所期の室内の脱臭が終了した際は、前記プラグをコンセントから引き外しておき、次に他のもの例えば靴箱または冷蔵庫の様に狭い室内を脱臭しようとする際は、その室内に前記ケーシングを配置し、其の付近の電源コンセントと前記プラグの間を別に用意する延長コードを介して接続して簡単に脱臭する。
【００１１】
また必要に応じて設けた上記電熱線で該誘電体基板を常時加熱していかなる高湿ないし低温条件のもとでも、沿面放電発生とオゾン生成の阻害を防止する。また必要に応じて設けたアルミナ保護膜により、線状電極の放電によるスパッタリング消耗を防止する。
【００１２】
【実施例】
この発明の実施例を添付図面で説明すると、ほぼ掌で握れる程度の大きさのケーシング１に多数の通気口２を穿設し、そのケーシング１内に交流高圧電源３とその出力側に接続されている電界素子４をそれぞれ設ける。
【００１３】
図１から図５までに示すように交流高圧電源３の入力側にヒューズ10およびパイロットランプ11を介して商用交流電源コンセント５の差し込みプラグ６を接続し、その差し込みプラグ６の基部を前記ケーシング１の一部分１ａに固着するとともに先端部を突出し、また該電界素子４を誘電体基板７の肉厚ｔの少なくとも一部分ｔａを介して互いに対向する線状電極８と面状電極９で構成する。
【００１４】
また高湿度環境下で使用するときは必要に応じて該面状電極９と該誘電体基板７の裏面７ｂの間に電熱線１７を埋入する。また必要に応じて該線状電極８の表面にアルミナ保護膜を設ける。
【００１５】
脱臭しようとする室内の壁１２などに予め設置されている商用電源のコンセント５に差し込みプラグ６を差し込んで、前記交流高圧電源３の入力側に電力を供給するとともにそこにこの脱臭装置全体を着脱自在に配置する。
【００１６】
交流高圧電源６で発生された交流高電圧を電界素子４の線状電極８と面状電極９の間に印加し、其の電界素子４における線状電極８側の表面に沿面放電１３を発生させ、そこに存在する空気中の酸素をオゾンガス化する。
【００１７】
このときの沿面放電１３によって発生する熱で電界素子４の温度が上昇し、其の付近の空気を加熱して僅かな上昇流１４を発生し、ケーシング１の通気口２から空気が出入りし、それに伴なって前記オゾンガスが流動し、脱臭しようとする室内を緩やかに矢印１５方向に循環して脱臭する。
【００１８】
また電熱線１７を設ける時は高湿度環境下でも常にオゾンの発生阻害なく、上記の作用がえられる。また該アルミナ保護膜で線状電極の放電による消耗が防止され、長寿命となる。
【００１９】
このようにして所期の室内の脱臭が終了した際は、前記プラグ１をコンセント５から引き外し、次に他のもの例えば靴箱または冷蔵庫の様に狭い室内を脱臭しようとする際は、その室内に前記ケーシング１を配置し、其の付近の電源コンセント５と前記プラグ１の間を延長コード（図示してない）を介して接続して簡単に脱臭する。
【００２０】
この発明は上記の実施例だけに限定されるものでなく、この発明の要旨の範囲内において部分的に構成を変更したり、或は付加して実施することも可能である。たとえば差し込みプラグ６をケーシング１の部分１ａに固着する代わりに図６に示すように、高圧変圧器１の入力側に電源用コード１６で差し込みプラグ６を接続することも可能である。
【００２１】
また交流高圧電源としては、電圧１〜１０ＫＶ（ピーク値）、周波数１〜１０ＫＨZ の高周波高圧電源、あるいは商用周波ないし高周波のパルス高圧電源等、適当ないかなるものを用いてもよい。
【発明の効果】
この発明は上述の通りであるから、その脱臭装置を脱臭しようとする室内に手軽に持ち込んで其処の室内の壁などに予め設置されている商用電源のコンセントに差し込んで所定時間放置しておくだけで、その室内の脱臭を行うことができる。
【００２２】
又その際の脱臭を誘電体基板の肉厚の少なくとも一部分を介して互いに対向する線状電極と面状電極で構成する電界素子における線状電極側の表面に発生する沿面放電によって行うので、その際に発生する熱で電界素子の温度が上昇し、其の付近の空気を加熱して僅かな上昇流を発生し、ケーシングの通気口から空気が出入りし、それに伴なって先に発生したオゾンガスが流動し、脱臭しようとする室内の空気を緩やかに自動的に循環して脱臭することができる。
【００２３】
さらにその際に生ずる発熱だけで本装置の容積より遥かに大きい室内の容積の空気を自動的に緩やかに循環して長時間掛けて脱臭を行うので、そこに残存するオゾンガスによる人体への悪影響を防止することができる。
【００２４】
また必要に応じて電界素子内に電熱線を入れるので、如何なる高湿環境のもとでも使用できる。
また必要に応じて該線状電極をアルミナ保護膜でコートするので、その寿命を大巾に延長できる。
【００２５】
更に又この発明は所期の室内の脱臭が終了した際、前記プラグをコンセント５から引き外し、次に他の室内を脱臭しようとする際は、前記ケーシングを掌で掴んで手軽にその室内に持ち運び、其の付近の電源コンセントに接続して脱臭することができる。
【図面の簡単な説明】
【図１】この発明の実施例を示す縦断面図
【図２】図１の平面図
【図３】図１の右側半分の部分を除去した状態の側面図
【図４】図１の部分の使用状態を示す側面図
【図５】この発明の使用状態の側面図
【図６】この発明の他の実施例を示す側面図
【符号の説明】
１      ケーシング
２      通気口
３      交流高圧電源
４      電界素子
５      電源コンセント
６      差し込みプラグ
７      誘電体基板
８      線状電極
９      面状電極
１７    電熱線
１８    アルミナ保護膜
【図１】
0003951064.tif 000002
【図２】
0003951064.tif 000003
【図３】
0003951064.tif 000004
【図４】
0003951064.tif 000005
【図５】
0003951064.tif 000006
【図６】
0003951064.tif 000007